【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
種々異なる製造業者の様々なタイプの機器の動作を遠隔制御するために使用される、ハンドヘルド機器の能力を表示するための命令を有する可読媒体であって、当該の命令により実行されるステップは、下記を含む、
すなわち、ソフト・キーの操作に応答していずれかの機能を実行するためにハンドヘルド機器をセットアップする必要がある状態を表す、第１の外観を有するソフト・キーの表現を表示するステップと、
ハンドヘルド機器が、ソフト・キーの操作に応答して当該の機能を実行するためにセットアップされる状態を表す、第２の外観を有するソフト・キーの表現を表示するステップとを含む可読媒体。
【請求項２】
第２の外観は、オーバレイが取り除かれた第１の外観を含む請求項１記載の可読媒体。
【請求項３】
オーバレイは、レンチの画像を備える請求項３記載の可読媒体。
【請求項４】
ソフト・キーの操作により、リモートコントロールアプリケーションが、様々な機器タイプのうちいずれかの特定機器タイプの機器の制御を行うモードにおかれる請求項１記載の可読媒体。
【請求項５】
ソフト・キーは、そのいずれかの特定タイプの機器の種々異なる製造業者の１つを指定することによってセットアップされる請求項４記載の可読媒体。
【請求項６】
ソフト・キーの操作により、様々なタイプのうち１つの機器をお気に入りチャネルにチューニングさせるように、コマンドの送信を行わせる請求項１記載の可読媒体。
【請求項７】
ソフト・キーは、様々な機器タイプのうちいずれかの特定機器タイプの種々異なる製造業者のうちの１つ、およびお気に入りチャネルのチューニングロケーションを指定することによってセットアップされる請求項６記載の可読媒体。
【請求項８】
追加のアイコンを表示することをさらに含み、追加のアイコンの起動は、セットアップするために必要な第２のソフト・キーの表現を追加するために使用される請求項１記載の可読媒体。
【請求項９】
追加のアイコンは、ハンドヘルド機器の動作モードの表現を追加するために使用される請求項８記載の可読媒体。
【請求項１０】
第１の外観を有するソフト・キーの操作により、自動的にセットアップ・ウイザードを呼び出す請求項１記載の可読媒体。
【請求項１１】
ハンドヘルド機器のユーザに情報を表示するための命令を有する可読媒体であって、当該の命令は、
ハンドヘルド機器が、遠隔制御するためにセットアップできる民生機器にそれぞれ対応する複数のアイコン表現を、循環待ち行列構成でユーザに表示することと、
民生機器の動作を制御するようにハンドヘルド機器をセットアップするために、ユーザから入力を受けることと、
ユーザが民生機器の動作を制御するようにハンドヘルド機器をセットアップした後、民生機器に対応するアイコン表現の外観を変更することを含む可読媒体。
【請求項１２】
循環待ち行列は、ホイールとして表示され、命令は、さらに、ユーザがホイールのトップを制御するようにハンドヘルド機器をセットアップした民生機器に対応するアイコン表現を移動させるものである、請求項１１記載の可読媒体。
【請求項１３】
アイコン表現の外観の変更は、アイコン表現からオーバレイを取り除くことを含む請求項１１記載の可読媒体。
【請求項１４】
オーバレイは、レンチの画像を含む請求項１３記載の可読媒体。
【請求項１５】
命令は、さらに、アクティビティに対応するアイコン表現を表示させ、それによって、ハンドヘルド機器は、共通機能に関連するアクションを実行するように、複数の民生機器の動作を遠隔制御するためにセットアップできる請求項１１記載の可読媒体。
【請求項１６】
共通機能は、ホーム・シアター・システムに構成された民生機器の制御である請求項１５記載の可読媒体。
【請求項１７】
ハンドヘルド機器のユーザに情報を表示するための命令を有する可読媒体であって、当該の命令により実行されるステップは、下記を含む、
すなわち、ハンドヘルド機器内で起動されたそのアイコン表現に割り当てられたアクションをハンドヘルド機器に実行させるよう、ユーザに対して複数のアイコン表現を表示するステップと、
さらに、所定の長さの時間に関してアイコン表現の連続的な起動を検知するステップと、
所定の長さの時間に関する検知されたアイコン表現の連続的な起動に応答して、ユーザが、ハンドヘルド機器内でアイコン表現に割り当てられたアクションを変更する情報を入力することを可能にするセットアップ・ウイザードを自動的に開始するステップとを含む可読媒体。
【請求項１８】
ハンドヘルド機器のユーザに情報を表示するための命令を有する可読媒体であって、当該の命令により実行されるステップは、
それぞれプログラミングのソースを示す複数のアイコン表現をユーザに表示するステップと、
アイコン表現の１つのユーザ選択を受けるステップと、
選択された１つのアイコン表現に対応するプログラミングのソースのチャネル数を決定するために、ハンドヘルド機器にダウンロードされた電子プログラム・ガイドを使用するステップと、
民生機器をチャネル数にチューニングさせるコマンドを送信するステップとを含む可読媒体。
【請求項１９】
ハンドヘルド機器のユーザに情報を表示するための命令を有する可読媒体であって、当該の命令により実行されるステップは、
ハンドヘルド機器のハード・キーに割り当てられた機能の複数のグループの１つのアイコン表現を有するソフト・キーを表示するステップを実行し、少なくともいくつかの機能は、ハード・キーの起動に応答する１つ以上の民生機器の動作を制御するために使用され、さらに、
ソフト・キーの起動を検知するステップと、
ソフト・キーの検知された起動に応答して、ハンドヘルド機器のハード・キーに割り当て可能な機能の複数のグループをユーザに表示し、かつユーザによる機能の１つのグループの選択の後で、選択された１つの機能の複数のグループのアイコン表現を有するソフト・キーを表示するステップとを含む可読媒体。
【請求項２０】
機能のグループの１つは、１つ以上の民生機器の伝送機能を制御するコマンド・コードを含む請求項１９記載の可読媒体。
【請求項２１】
機能のグループの１つは、ハンドヘルド機器に表示された情報を介してナビゲーションに関するコマンドを含む請求項１９記載の可読媒体。
【請求項２２】
ハンドヘルド機器であって、
プロセッサと、
ディスプレイと、
送信器と、
複数のソフトウエア・アプリケーションを格納するメモリとを備え、複数のソフトウエア・アプリケーションは、送信器に民生機器の動作を制御するために民生機器にコマンド・コードを送信させる命令をさらに有する遠隔制御ソフトウエア・アプリケーションを含む、プロセッサおよびディスプレイの動作を制御する命令を有し、
遠隔制御ソフトウエア・アプリケーションは、ユーザに複数のソフトウエア・アプリケーションのうちの他のソフトウエア・アプリケーションへのアクセスが提供される動作の第１のモードと、ユーザが遠隔制御ソフトウエア・アプリケーションだけを使用することに制限される動作の第２のモードとを有するハンドヘルド機器。
【請求項２３】
動作の第２のモードは、ユーザがハンドヘルド機器のパワー制御機能へのアクセスを防ぐ請求項２２記載のハンドヘルド機器。
【請求項２４】
ハンドヘルド機器のユーザに情報を表示するための命令を有する可読媒体であって、
アクションの第１セットに割り当てられた複数のアイコン表現をユーザに表示するステップを含み、それによって、１つのアイコン表現の起動によっては、起動されたアイコン表現に割り当てられたアクションをハンドヘルド機器に実行させ、アイコン表現の少なくともいくつかの起動よっては、１つ以上の民生機器の動作を制御するコマンド・コードをハンドヘルド機器に送信させるものであり、
新たなアクションをアイコン表現の少なくとも１つに割り当てる入力を受けるステップと、
アイコン表現へのアクションの第１セットの割り当ての表現を格納するステップと、
アイコン表現へのアクションの第１セットの割り当てを再格納するために、アイコン表現へのアクションの第１セットの割り当ての格納された表現に、ユーザがアクセスすることを可能にするステップとを含む可読媒体。
【請求項２５】
入力を受けるステップは、アイコン表現の１つに対応してマッピングされるハンドヘルド機器へコマンド・コードをダウンロードすることを含む請求項２４記載の可読媒体。
【請求項２６】
入力を受けるステップは、アイコン表現の少なくとも１つに割り当てられたユーザが定義したマクロを含む請求項２４記載の可読媒体。
【請求項２７】
入力を受けるステップは、特定のタイプの動作および民生機器のブランドを制御するためのユーザがセットアップし遠隔制御を含む請求項２４記載の可読媒体。
【請求項２８】
可読媒体であって、
ハードウエア・プラットフォームの属性を示すデータを含むデータ・フィールドの第１のセットと、
機器の属性を示すデータを含むデータ・フィールドの第２のセットとを含み、ハードウエア・プラットフォームが、機器の動作を遠隔制御するように構成され、可読媒体はさらに、
ハードウエア・プラットフォームによって表示可能なページの属性を示すデータを含むデータ・フィールドの第３のセットと、
ページの少なくとも一部を含むソフト・キーの属性を示すデータを含むデータ・フィールドの第４のセットと、
ソフト・キーの操作に応答してハードウエア・プラットフォームによって実行される機能の属性を示すデータを含むデータ・フィールドの第５のセットとを含む可読媒体。
【請求項２９】
ソフト・キーの表示に使用するリソースを記述するデータを含む第６のデータ・フィールドのセットをさらに含む請求項２８記載の可読媒体。
【請求項３０】
ハードウエア・プラットフォームのユーザの属性を記述するデータを含む第６のデータ・フィールドのセットをさらに含む請求項２８記載の可読媒体。
【請求項３１】
機器が見出されるルームを記述するデータを含む第７のデータ・フィールドのセットをさらに含む請求項３０記載の可読媒体。
【請求項３２】
遠隔制御マクロの生成において使用する命令を有するハンドヘルド機器の可読媒体であって、当該の命令により実行されるステップは、下記を含む、すなわち、
ハンドヘルド機器に遠隔制御される複数の機器を指定するユーザからの入力を受けるステップと、
ユーザによって指定される複数の機器の機能として、複数の機器を特定の状態にするように、複数の機器の動作をコマンドするために使用されるマクロを備えるコマンドの連鎖を自動的に定義する所定のルールのセットを使用することと、
ユーザに対してマクロを表示するステップと、
マクロを含むコマンドの連鎖を変更するためにユーザからの入力を受けるステップとを含む可読媒体。
【請求項３３】
ハンドヘルド機器の複数のユーザに情報を表示するための命令を有する可読媒体であって、当該の命令により実行されるステップは、下記を含む、すなわち、
各ユーザが、そのお気に入りチャネルのリストを定義することを可能にするステップと、
ハンドヘルド機器のユーザを識別する入力を受け、かつ応答して、お気に入りチャネルの対応するリストをユーザに表示するステップとを有し、該ステップの実行によって、ユーザは、リストと相互作用することができ、そのお気に入りチャネルのリストに表現されるチャネルへ民生機器をチューニングする目的で、ハンドヘルド機器に民生機器にコマンド・コードを送信させる可読媒体。
【請求項３４】
そのお気に入りチャネルのリストに表現されるチャネルへ民生機器をチューニングするために各ユーザがコマンド・コードを送信するためにハンドヘルド機器を使用する頻度を示す情報を集めるための命令をさらに含み、そして、命令が、お気に入りチャネルのリストが対応するユーザに表示されたときにお気に入りチャネルのリストに対する順番を提供する情報を使用する命令を含むものである請求項３３記載の可読媒体。
【請求項３５】
ハンドヘルド機器のユーザに情報を表示するための命令を有する可読媒体であって、当該の命令により実行されるステップは、下記を含む、すなわち、
お気に入りチャネルのリストが、ハンドヘルド機器により制御されるべき複数の民生機器に関して定義することを可能にするステップと、
複数の民生機器の１つを制御するモードを指定する入力を受け、かつ応答して、お気に入りチャネルの対応するリストをユーザに表示するステップとを含み、該ステップの実行によって、ユーザは、リストと相互作用することができ、そのお気に入りチャネルのリストに表現されるチャネルへ民生機器をチューニングする目的で、ハンドヘルド機器に民生機器にコマンド・コードを送信させる可読媒体。
【請求項３６】
そのお気に入りチャネルの対応するリストに表現されるチャネルへ複数の各民生機器をチューニングするためにコマンド・コードを送信するためハンドヘルド機器が使用される頻度を示す情報を集める命令をさらに含み、さらに、ユーザに対して表示可能なお気に入りチャネルのリストに対する順番を提供する情報を使用する命令をさらに含む請求項３５記載の可読媒体。
【請求項３７】
ハンドヘルド機器のユーザに情報を表示するための命令を有する可読媒体であって、当該の命令により実行されるステップは、下記を含む、すなわち、
お気に入りチャネルのリストが動作のルーム・モードに関して規定することを可能にするステップを含み、該ステップの実行によって、ハンドヘルド機器が、ルーム・モードの間に、複数の民生機器の動作制御に使用するためにユーザに機能性が呈示されるように構成され、さらに、
ルーム・モードにおかれたハンドヘルド機器に応答して、お気に入りチャネルのリストをユーザに表示するステップを含み、該ステップの実行によって、ユーザは、お気に入りリストと相互作用することができ、お気に入りチャネルのリストに表現されるチャネルへ少なくとも１つの複数の民生機器をチューニングする目的で、ハンドヘルド機器に少なくとも１つの複数の民生機器にコマンド・コードを送信させるものであり、さらに、
お気に入りチャネルのリストに表現されるチャネルへ複数の各民生機器をチューニングするためにコマンド・コードを送信するためにハンドヘルド機器が使用される頻度を示す情報を集めるステップをさらに含み、さらに、
ユーザに対して表示可能なお気に入りチャネルのリストに対する順番を提供するためにその情報を使用するステップを含む可読媒体。
【請求項３８】
ハンドヘルド機器のユーザに動作モード情報を表示する方法であって
ハンドヘルド機器を、１つ以上の民生機器の動作を遠隔制御するモードにするようにそれぞれ起動可能な複数のモード・ソフト・キーを表示することと、一方同時に、１つ以上の追加の民生機器の動作を制御するように、ユーザがハンドヘルド機器をセットアップすることを自動的に可能にするように動作可能な追加のソフト・キーを表示することと、セットアップが完了すると、複数のモード・ソフト・キーに追加のモード・ソフト・キーを追加することとを含み、追加のソフト・キーは、１つ以上の追加の民生機器の動作を遠隔制御するモードにハンドヘルド機器をおくために利用可能である方法。
【請求項３９】
少なくとも１つのモード・ソフト・キーは、民生機器を表す１つの画像で表示される請求項３８記載の方法。
【請求項４０】
少なくとも１つのモード・ソフト・キーは、アクティビティを表す１つの画像で表示される請求項３９記載の方法。
【請求項４１】
ハンドヘルド機器のユーザに動作モード情報を表示する方法であって、
コマンドの送信を複数指定された機器の動作を遠隔制御させるように起動可能なアクティビティ・ソフト・キーを表示することと、一方同時に、ハンドヘルド機器を、機器・モード・ソフト・キーの操作に応答して表示されるコマンド・ソフト・キーを介して、指定された民生機器の動作を遠隔制御するモードにおくように操作可能な機器・モード・ソフト・キーを表示することとを含む方法。
【請求項４２】
機器・モード・ソフト・キーおよびアクティビティ・ソフト・キーは、循環待ち行列で表示される請求項４１記載の方法。
【請求項４３】
ハンドヘルド機器のユーザに遠隔制御コマンド・キーを表示するための命令を有する可読媒体であって、当該の命令により実行されるステップは、下記を含む、すなわち、
第１のユーザおよび第２のユーザが、ハンドヘルド機器によって識別できる入力を受けるステップと、
第１のユーザに対して第１の遠隔制御送信器インタフェースを表示するステップとを含み、該第１の遠隔制御インタフェースは、複数の第１の遠隔制御コマンド・キーを有し、複数の第１の遠隔制御コマンド・キーのそれぞれ１つの操作により、ハンドヘルド機器に１つの対応するコマンド・コードを１つ以上の民生機器が送信するようにし、さらに、
第２のユーザに対して第２の遠隔制御送信器インタフェースを表示するステップを含み、該第２の遠隔制御送信器インタフェースは、複数の第２の遠隔制御コマンド・キーを有し、複数の第２遠隔制御コマンド・キーのそれぞれ１つの操作により、ハンドヘルド機器が１つの対応するコマンド・コードを１つ以上の民生機器に送信するようにし、複数の第２の遠隔制御コマンド・キーは、複数の第１遠隔制御コマンド・キーのサブセットであり、かつ複数の第１の遠隔制御コマンド・キーより数が少ない可読媒体。
【請求項４４】
種々異なる製造業者の様々なタイプの機器の動作を遠隔制御するために使用される、ハンドヘルド機器の能力を表示するための命令を有する可読媒体であって、当該の命令により実行されるステップは、下記を含む、すなわち、
ソフト・キーの表現を表示するステップと、
ソフト・キーの第１の操作に応答して、ソフト・キーをセットアップするために使用されるセットアップ・ウイザードを自動的に呼び出すステップとを含み、該ステップの実行によって、ソフト・キーの以降の操作により、ハンドヘルド機器に動作を実行させる可読媒体。
【請求項４５】
アイコン表現の起動により、ハンドヘルド機器内の起動されたアイコン表現に割り当てられたチャネルに機器をチューニングさせるコマンドを、ハンドヘルド機器に送信させる請求項１７記載の可読媒体。
【請求項４６】
種々異なる製造業者の様々なタイプの機器の動作を遠隔制御するために使用される、ハンドヘルド機器の能力を表示するための命令を有する可読媒体であって、当該の命令により実行されるステップは、下記を含む、すなわち、
ユーザが、ハンドヘルド機器が動作すべき地理的な領域を指定することを可能にするステップと、
機器の動作をコマンドするようにコマンド・コードを送信するために使用されるキーが、ユーザに表示される仕方を決定するために、指定された地理的な領域を使用するステップとを含む可読媒体。
【請求項４７】
種々異なる製造業者の様々なタイプの機器の動作を遠隔制御するために使用される、ハンドヘルド機器の能力を表示するための命令を有する可読媒体であって、当該の命令により実行されるステップは、下記を含む、すなわち、
ユーザが、ハンドヘルド機器が動作すべき地理的な領域を指定することを可能にするステップと、
機器へのコマンド・コードの送信を行なわせるように操作されるキーにコマンド機能を関連付けるために、指定された地理的な領域を使用するステップとを含む可読媒体。
【請求項４８】
お気に入りチャネルのリストに与えられた順番は、週の曜日に応じたものである請求項３４記載の可読媒体。
【請求項４９】
お気に入りのリストに与えられた順番は、１日のうちの時間に応じたものである請求項３４記載の可読媒体。
【請求項５０】
お気に入りチャネルのリストに与えられた順番は、週の曜日に応じたものである請求項３６記載の可読媒体。
【請求項５１】
お気に入りのリストに与えられた順番は、１日のうちの時間に応じたものである請求項３６記載の可読媒体。
【請求項５２】
お気に入りチャネルのリストに与えられた順番は、週の曜日に応じたものである請求項３７記載の可読媒体。
【請求項５３】
お気に入りチャネルのリストに与えられた順番は、１日のうちの時間に応じたものである請求項３７記載の可読媒体。
【請求項５４】
ハード・キーの少なくとも１つに割り当てられた機能は、再割り当て不可能である請求項１９記載の可読媒体。
【請求項５５】
表示を有するハンドヘルド遠隔制御機器のハード・キーに機能を割り当てる命令を有する可読媒体であって、当該の命令により実行されるステップは、下記を含む、すなわち、
ディスプレイにソフト・キーを表示するステップを含み、ソフト・キーの操作により、ハンドヘルド遠隔制御機器を、何れかのタイプの機器の動作を制御するモードにし、さらに、
ソフト・キーの操作に応答して、機器のタイプに応じてハード・キーに自動的にかつ動的に機能を割り当てるステップを含む可読媒体。
【請求項５６】
割り当てられた機能は、伝送機能を含む請求項５５記載の可読媒体。
【請求項５７】
割り当てられた機能は、ナビゲーション機能を含む請求項５５記載の可読媒体。
【請求項５８】
割り当てられた機能は、音量およびチューニング機能を含む請求項５５記載の可読媒体。
【請求項５９】
リモートコントロールアプリケーションおよび非リモートコントロールアプリケーションを有するハンドヘルド機器に機能を割り当てるための命令を有する可読媒体であって、当該の命令により実行されるステップは、下記を含む、すなわち、
リモートコントロールアプリケーションが、ハンドヘルド機器を使用対象としているときには、リモートコントロールアプリケーションの動作をコマンドするために使用されるハード・キー機能に自動的に割り当てるステップと、
リモートコントロールアプリケーションを、ハンドヘルド機器を使用対象としている場合には、非リモートコントロールアプリケーションの動作をコマンドするために使用されるハード・キー機能に自動的に割り当てるステップとを含む可読媒体。
【請求項６０】
ハンドヘルド機器のユーザに情報を表示するための命令を有する可読媒体であって、当該の命令により実行されるステップは、下記を含む、すなわち、
ユーザに複数のアイコン表現を表示するステップを含み、アイコン表現の起動は、ハンドヘルド機器に、起動されたアイコン表現に対してハンドヘルド機器に割り当てられたアクションを実行させ、さらに、
ユーザが、アイコン表現に関連付けられたアクションのテキスト記述子をイネーブルすることを可能するステップを含む可読媒体。
【請求項６１】
テキスト記述子は、アクションに関する機器・ベンダ記述子である請求項６０記載の可読媒体。
【請求項６２】
命令は、さらに、ユーザが新たなルーム・モードを定義することを可能にし、かつ命令は、新たなルームに関するお気に入りチャネルのリストを維持するお気に入りページを自動的に生成する請求項３７記載の可読媒体。
【請求項６３】
命令は、さらに、新たなユーザが定義することを可能にし、かつ命令は、新たなユーザに関するお気に入りチャネルのリストを維持するお気に入りページを自動的に生成する請求項３３記載の可読媒体。
【請求項６４】
遠隔制御のユーザに動作情報を表示する方法であって、
遠隔制御が制御するためにセットアップされる各機器のアイコン表現を、循環待ち行列構成でユーザに表示することと、
ユーザが制御することを望む機器の１つを示すユーザからの入力を受けることと、
循環待ち行列のアイコン表現を回転することを含み、選択された機器のアイコン表現が、循環待ち行列の現在のロケーションから、循環待ち行列の所定のロケーションへ動きをするものであり、その動きは、最短距離でアイコン表現を移動する方向である方法。
【請求項６５】
循環待ち行列はホイールを備え、所定のロケーションは、一般に、ホイールのトップに配置される請求項６４記載の方法。
【請求項６６】
リモートコントロールアプリケーションおよび非リモートコントロールアプリケーションを有するハンドヘルド機器の表示を制御するための命令を有する可読媒体であって、当該の命令により実行されるステップは、下記を含む、すなわち、
リモートコントロールアプリケーションが、ハンドヘルド機器を使用対象としている場合には、ユーザ入力が第１のタイムアウト期間内で受信されたかどうか、およびユーザ入力が第１のタイムアウト期間内で受信されなかったかどうかを決定し、表示をシャットオフさせるステップと、
非リモートコントロールアプリケーションを、ハンドヘルド機器を使用対象としているときには、ユーザ入力が第２のタイムアウト期間内で受信されたかどうか、およびユーザ入力が第２のタイムアウト期間内で受信されなかったかどうかを決定し、表示をシャットオフさせるステップとを含む可読媒体。
【請求項６７】
第１のタイムアウト期間は、第２のタイムアウト期間とは異なる持続期間を有する請求項６６記載の方法。
【請求項６８】
第１のタイムアウト期間は、ユーザが設定可能である請求項６６記載の方法。
【請求項６９】
表示をシャットオフさせることは、さらに、表示をシャットオフする前にスプラッシュ・スクリーンを表示することを含む請求項６６記載の方法。
【請求項７０】
スプラッシュ・スクリーンは、表示をシャットオフする前の所定の時間に表示される請求項６９記載の方法。
【請求項７１】
少なくとも１人のユーザは、ハンドヘルド機器に関する登録情報を使用して識別される請求項３３記載の可読媒体。
【請求項７２】
各アイコン表現は、英数字タグに割り当てられ、英数字タグは、電子プログラム・ガイド内のチャネル数と関連付けられる請求項１８記載の可読媒体。
【請求項７３】
ハンドヘルド機器のユーザへの情報を表示するための命令を有する可読媒体であって、当該の命令により実行されるステップは、下記を含む、すなわち、
それぞれアイコン表現にチャネル数をマッピングされたプログラミングのリソースの複数のアイコン表現をユーザに表示するステップを含み、ここで、アイコン表現の１つの選択により、民生機器を選択されたアイコン表現にマッピングされたチャネルにチューニングさせるように、ハンドヘルド機器にコマンドを送信させるものであり、さらに、
チャネル数とハンドヘルド機器内のアイコン表現との間のマッピングを自動的に更新するために、ハンドヘルド機器にダウンロードされた電子プログラム・ガイドを使用するステップを含み、ここで、ハンドヘルド機器内のアイコン表現に対するチャネル数のマッピングは、電子プログラム・ガイド内のプログラムのリソースへのチャネル数の割り当てに対応するものである可読媒体。
【請求項７４】
ユニバーサルリモートコントロールのユーザに動作モード情報を表示する方法であって、
ユニバーサルリモートコントロールが制御すべくセットアップされた家庭用機器のアイコン表示をユーザに対して円形キューアレンジで表示するステップと、
ユーザが制御することを望む家庭用機器の１つを示す入力をユーザから受領するステップと、
家庭用機器のアイコン表示を表示し、ユーザによって示されたアイコン表示を残りのアイコン表示に対して円形キューアレンジ内の所定ポジションに移動させ、円形アイコンキューアレンジ内でそれら残りのアイコン表示とは異なる外見を提供し、ユーザに対してユニバーサルリモートコントロールの現行動作モードを示すステップと、
を含んでいることを特徴とする方法。
【請求項７５】
円形キューを環体として表示するステップをさらに含んでいることを特徴とする請求項７４記載の方法。
【請求項７６】
ユーザから入力を受領し、ユニバーサルリモートコントロールをセットアップし、複数の家庭用機器の動作を制御することを特徴とする請求項７４記載の方法。
【請求項７７】
円形キューはユニバーサルリモートコントロールの動作の利用可能なモードを示すプレースホルダーを有しており、本方法は、特定の家庭用機器の制御のためのモードを有するためにユーザがユニバーサルリモートコントロールをセットアップするとき、そのプレースホルダーをアイコン表示と交換するステップをさらに含んでいることを特徴とする請求項７６記載の方法。
【請求項７８】
アイコン表示はユーザ選択式であることを特徴とする請求項７７記載の方法。
【請求項７９】
円形キュー内の所定ポジションは円形キューの最上部であることを特徴とする請求項７４記載の方法。
【請求項８０】
ユーザにより示された家庭用機器のアイコン表示は円形キュー内の残りのアイコン表示よりも大きいことを特徴とする請求項７４記載の方法。
【請求項８１】
円形キューを回転させ、家庭用機器のアイコン表示を所定ポジションに移動させるステップをさらに含んでいることを特徴とする請求項７４記載の方法。
【請求項８２】
アイコン表示を所定ポジションに移動させる際にはアイコン表示を徐々に異なる外見に変化させ、所定ポジションから移動させる際にはその異なる外見から徐々に変化させるステップをさらに含んでいることを特徴とする請求項８１記載の方法。
【請求項８３】
ユニバーサルリモートコントロール装置のユーザに対して動作モード情報を表示する方法であって、
ユニバーサルリモートコントロールが制御するようにセットアップされた家庭用機器のアイコン表示を環状円形キュー内でユーザに表示するステップと、
ユーザが制御を望む家庭用機器の１つを示す入力をユーザから受領するステップと、
その入力に対応して、ユーザに示された家庭用機器のアイコン表示が環状円形キューの最上部に移動するまでアイコン表示を環状円形キュー内で移動させ、その最上部に移動する際にアイコン表示のサイズを徐々に大きくし、その最上部から離れる際に徐々に小さくして残りのアイコン表示と同一サイズにするステップと、
を含んでいることを特徴とする方法。
【請求項８４】
ユニバーサルリモートコントロールにおける可読媒体であって、可読媒体はユニバーサルリモートコントロールの動作モード情報をユーザに対して表示するインストラクションを有しており、そのインストラクションのステップは、
ユニバーサルリモートコントロールが制御すべくセットアップされた家庭用機器のアイコン表示をユーザに対して円形キューアレンジで表示するステップと、
ユーザが制御することを望む家庭用機器の１つを示す入力をユーザから受領するステップと、
家庭用機器の前記アイコン表示を表示し、ユーザによって示されたアイコン表示を残りのアイコン表示に対して円形キューアレンジ内の所定ポジションに移動させ、円形アイコンキューアレンジ内でそれら残りのアイコン表示とは異なる外見を提供し、ユーザに対してユニバーサルリモートコントロールの現行動作モードを示すステップと、
を含んでいることを特徴とする可読媒体。
【請求項８５】
インストラクションは円形キューを環体として表示するステップをさらに含んでいることを特徴とする請求項８４記載の可読媒体。
【請求項８６】
インストラクションはユーザから入力を受領し、ユニバーサルリモートコントロールをセットアップし、複数の家庭用機器の動作を制御することを特徴とする請求項８４記載の方法。
【請求項８７】
円形キューはユニバーサルリモートコントロールの動作の利用可能なモードを示すプレースホルダーを有しており、本方法は、特定の家庭用機器の制御のためのモードを有するためにユーザがユニバーサルリモートコントロールをセットアップするとき、そのプレースホルダーをアイコン表示と交換するステップをさらに含んでいることを特徴とする請求項８６記載の可読媒体。
【請求項８８】
アイコン表示はユーザ選択式であることを特徴とする請求項８７記載の可読媒体。
【請求項８９】
円形キュー内の所定ポジションは円形キューの最上部であることを特徴とする請求項８４記載の可読媒体。
【請求項９０】
ユーザにより示された家庭用機器のアイコン表示は円形キュー内の残りのアイコン表示よりも大きいことを特徴とする請求項８４記載の可読媒体。
【請求項９１】
インストラクションは円形キューを回転させ、家庭用機器のアイコン表示を所定ポジションに移動させるステップをさらに含んでいることを特徴とする請求項８４記載の可読媒体。
【請求項９２】
インストラクションはアイコン表示を所定ポジションに移動させる際にはアイコン表示を徐々に異なる外見に変化させ、所定ポジションから移動させる際にはその異なる外見から徐々に変化させるステップをさらに含んでいることを特徴とする請求項９１記載の可読媒体。
【請求項９３】
ユニバーサルリモートコントロール装置のユーザに対して動作モード情報を表示するインストラクションを有した可読媒体であって、インストラクションのステップは、
ユニバーサルリモートコントロールが制御するようにセットアップされた家庭用機器のアイコン表示をユーザに対して環状の円形キュー内で表示するステップと、
ユーザが制御を望む家庭用機器の１つを示す入力をユーザから受領するステップと、
その入力に対応して、ユーザに示された家庭用機器のアイコン表示が環状円形キューの最上部に移動するまでアイコン表示を環状円形キュー内で移動させ、その最上部に移動する際にアイコン表示のサイズを徐々に大きくし、その最上部から離れる際に徐々に小さくして残りのアイコン表示と同一サイズにするステップと、
を含んでいることを特徴とする可読媒体。
【請求項９４】
リモートコントロールであって、
複数の命令コードを保存するメモリと、
選択された命令コードを機器に送るトランスミッション回路と、
命令コードをメモリから選択させ、トランスミッション回路に提供させる複数のハードキーと、
を含んでおり、複数のハードキーは円形パターンにアレンジされ、ユーザに慣れ親しんだ操作手段を提供することを特徴とするリモートコントロール。
【請求項９５】
ハードキーには数字がラベルされており、操作手段は電話回転ダイヤル様のものであることを特徴とする請求項９４記載のリモートコントロール。